(57)【要約】【課題】窒素ガス供給装置２０にて供給された窒素ガスの漏出が極めて少なく、窒素ガスの補充を少なくでき、また基台２上の周囲から展示物をケース本体３に容易に出し入れすることができる展示装置を提供する。【解決手段】ケース本体３は底部が開放されておりその他の部分は密封された構成であり、基台にはその天板に対してケース本体３を昇降させる油圧シリンダを備え、ケース本体３の底部周囲と天板との間に密閉装置を備える。基台２における天板との間の密閉装置で確実に且つ容易にケース本体３を気密にした状態で、基台２内に配置した窒素ガス供給装置からケース本体３内に窒素ガスを供給する。【選択図】　図１
2004081307.tif 000002
【特許請求の範囲】
【請求項１】
基台の上面側に展示装置におけるケース本体を配置し、前記基台内に窒素ガスを前記ケース本体内に供給する窒素ガス供給装置を配置してなる展示装置において、
前記ケース本体は底部が開放されておりその他の部分は密封された構成であり、前記基台にはその上面板に対して前記ケース本体を昇降させる昇降装置を備え、
前記ケース本体の底部と前記上面板との間に密閉装置を備えたことを特徴とする展示装置。
【請求項２】
前記ケース本体内の窒素ガス濃度監視手段と、該窒素ガス濃度監視手段の検出信号に基づいて前記窒素ガス供給装置を運転制御する制御装置とを備えたことを特徴とする請求項１に記載の展示装置。
【請求項３】
タイマーを備え、該タイマーによる指示信号に基づいて前記窒素ガス供給装置を運転制御する制御装置を備えたことを特徴とする請求項１または２に記載の展示装置。
【発明の詳細な説明】
【０００１】
【発明の属する技術分野】
本発明は、展示ケース内の展示物が、黴や害虫に侵されたり、空気中の酸素により劣化したりしないように窒素ガスにて充満することができる窒素ガス供給装置を備えた展示装置の構成に関するものである。
【０００２】
【従来の技術】
従来から、この種の展示装置として、特開平９−２８５２０号公報では、展示品を収納して陳列する展示ケース内に窒素ガスを供給する窒素ガス供給装置が開示されている。この装置は、コンプレッサにより外気を高圧で導入し、次いでその高圧空気中の水分と塵を除湿妨塵フィルタにて除去したのち、吸着剤活性炭を内臓した２つの吸着槽にてその空気中の酸素ガスを吸着・除去し、窒素ガスのみを生成し、これをバッファタンク内にストックする、その後、流量調整弁を介して窒素ガスの一部を加湿装置に通して適度の水分を付与し、他の乾燥した窒素ガスの一部と混合器で混合させる。この混合した窒素ガスの湿度を調整した後展示ケース内に供給するように構成したものである。そして、前記展示ケースは、観覧者側の前面と上面とが透明アクリル樹脂板で形成され、窒素ガス導入口と弁止弁以外の個所が密閉に作られている。
【０００３】
【発明が解決しようとする課題】
しかしながら、前記公報の展示ケースでは、その展示部に展示物を出し入れする個所が別途必要であり、前記公報の形態によれば、前記展示部の背面側の垂直板部分に物品出し入れ用の開口部を設け、この開口部を開閉扉にて閉止する必要があり、当該開閉扉と垂直板の開口部との間の縁に密閉シールを設けることが考えられる。この種の展示ケースでは、窒素ガスで充満される展示部の窒素ガスの圧力を外気圧（大気圧）より高くして、外気が容易に展示部に進入しないようにすることが好ましい。
【０００４】
そうすると、前記開閉扉を引き戸式にしなければならず、そのシール構造が複雑となり、且つ完全な密閉作用が得られないから、単位時間当りの窒素ガスの供給量を多くしなければならず、窒素ガス供給装置が大型化してしまうという欠点がある。もし、前記開閉扉を開口部に対して内開き（展示部側に開閉扉を開く）構成を採用した場合、開き時に開閉扉が展示物品に衝突しないようにするには、展示空間に対して開閉扉の回動範囲を小さくする等の制限があり、展示装置として使用しずらい。
【０００５】
さらに、前記公報に開示しているように窒素ガス供給装置は、展示ケース内に窒素ガスを連続して供給しており、展示ケースの下部の収容室に窒素ガス供給装置を内臓したものでも、展示時間中に運転すればその運転の騒音が収容室から外に漏出し易いから展示場の雰囲気が損なわれる。それを回避すべく前記収容室を防音構造にするには、展示ケース全体の製造コストが高くなるという問題が発生する。
【０００６】
本発明は、これらの問題を解決することを技術的課題とするものである。
【０００７】
【課題を解決するための手段】
前記技術的課題を解決するため、請求項１に記載の発明の展示装置は、基台の上面側に展示装置におけるケース本体を配置し、前記基台内に窒素ガスを前記ケース本体内に供給する窒素ガス供給装置を配置してなる展示装置において、前記ケース本体は底部が開放されておりその他の部分は密封された構成であり、前記基台にはその上面板に対して前記ケース本体を昇降させる昇降装置を備え、前記ケース本体の底部と前記上面板との間に密閉装置を備えたことを特徴とするものである。
【０００８】
そして、請求項２に記載の発明は、請求項１に記載の展示装置において、前記ケース本体内の窒素ガス濃度監視手段と、該窒素ガス濃度監視手段の検出信号に基づいて前記窒素ガス供給装置を運転制御する制御装置とを備えたものである。
【０００９】
また、請求項３に記載の発明は、請求項１または２に記載の展示装置において、タイマーを備え、該タイマーによる指示信号に基づいて前記窒素ガス供給装置を運転制御する制御装置を備えたものである。
【００１０】
【発明の実施の形態】
次に、本発明を具体化した実施形態を図面を参照しながら説明する。図１は本発明に係る展示装置の斜視図、図２（ａ）は基台の扉を開いた状態の正面図、図２（ｂ）はケース本体を上昇させた状態で窒素ガス供給装置を図示省略した概略側断面図、図３は窒素ガス供給装置のブロック図、図４は窒素ガス供給装置を載置した載置台を基台から引き出した状態の斜視図、図５はコンプレッサにおける排気ダクトの斜視図、図６は排気ダクトの裏面図、図７は基台の上面とケース本体との気密機構を示す拡大断面図、図８はケース本体の昇降装置（昇降アクチュエータ）の取付け部断面図である。
【００１１】
本発明に係る展示装置１は、下面が開放された基台２とその上面にて昇降可能なケース本体３とから構成されている。基台２は金属製のフレーム枠４の３周が側カバー板（化粧板）５にて覆われ、フレーム枠４の一側は上下一対の蝶番６を介して横開き回動する開閉扉７にて開閉可能に構成されている。また基台２の上面は天板８にて覆われている。
【００１２】
ケース本体３は、下面のみが開放され、４側面と天面部とは気密に構成されている。即ち、ケース本体３における下端に前記基台２の平面視外周と略同じ矩形の枠体９を有し、この枠体９は前記天板８の上面外周側にのみ当接可能な平面視中空状に形成されている。該枠体９の上面には４側周の透明な強化ガラス板またはアクリル樹脂板等の透明板１０を立設し、該４枚の透明板１０の上端側の開口部分を同じく透明天板１１にて覆い、中空状の枠体９と各透明板１０との間及び透明板１０、透明天板１１の端部間をシリコーン樹脂等のコーキング材１２にて気密に固定・接着する（図７参照）。そして、基台２におけるフレーム４内に昇降アクチュエータの一例としての４本の油圧シリンダ１３を立設固定し、各油圧シリンダ１３の上向き突出可能なピストンロッド１３ａの上端を前記枠体９にボルト１４等にて固定連結する。この構成により、ケース本体３は基台２に対して昇降可能であり、ケース本体３を大きく上昇させると、天板８の上面に対して展示物Ｔを簡単に出し入れすることができる。油圧シリンダに代えて、エアシリンダとしても良い。
【００１３】
また、前記枠体９を支持する４本乃至２本の雌ねじ軸は、基台に対して昇降のみ可能に支持させ、各雌ねじ軸に螺合する縦長の雄ねじ軸を電動モータにより正逆回動させて、前記枠体９ごとケース本体を基台に対して昇降させる構成でも良い。
【００１４】
更に他の実施形態として、前記枠体９の左右両側を各々２本の昇降支持軸にて支持させ、該各昇降支持軸は、基台に対して昇降のみ可能に支持させる。左右両側それぞれの２本の昇降支持軸の下端を横梁にて支持させ、この各横梁を基台に回動のみ可能に立設した雄ねじ軸に螺合させる。この左右一対の雄ねじ軸を１つの電動モータ及びベベルギヤ等の伝動機構を介して正逆回動させて、ケース本体を昇降させる構成を採用しても良い。
【００１５】
次に、ケース本体３の下端側と基台２の上面側との間の密閉装置の構成について説明すると、図７に示すように、前記枠体９の内周側を樹脂製等のカバー体１５にて覆い、ビス１６にて固定すると共に、前記ピストンロッド１３ａと前記枠体９との間の隙間からの空気がケース本体３の内側に入らぬように、カバー体１５と枠体９の外面との間をコーキング材にて密封する。前記枠体９の下面であって、ピストンロッド１３ａとの取付け個所より内径側には、パッキン１７を接着固定しておく（図７参照）。これにより、ケース本体３を下降させて前記枠体９の下面側のパッキン１７が天板８に密接すると（図７二点鎖線状態を参照）、ケース本体３内は外気と完全に遮断されることになる。前記パッキン１７を天板８の上面に予め固定しておいても良いし、枠体９の下面と天板８の上面との両方に設けも良い。なお、ケース本体３における前記透明天板１１の上方には、照明装置１８が配置されており、これにより、展示物Ｔに照明光を照射できる。
【００１６】
次に、窒素ガス供給装置２０の構成及びその配置について説明する。図１〜図２、図４〜図６に示すように、基台２内の下部に配置した載置台（テーブル）２１は、フレーム４との間に設けた左右両側のサスペンションレール２２により略水平にて進退動可能に設けられている。実施例における従来から公知のサスペンションレール２２は、フレーム４側に固定した固定レールとこれに対して往復移動可能な中間レールと、該中間レールに対して往復移動可能な移動レールと、これらレールの案内溝に沿って配置したリテーナ付きの多数個のボールとにより構成されている。前記開閉扉７を大きく開いた状態で、載置台２１の大部分が基台２より外に搬出されて露出できるように構成されている。
【００１７】
前記載置台２１には窒素ガス供給装置２０を搭載する。該窒素ガス供給装置２０は、外気を圧縮するエアコンプレッサ２３と、エアフィルタ２４と、ドライヤー２６と、中空糸分離膜からなる窒素ガス変換モジュール３１と、減圧弁３２と、電磁式止め弁３２ａと加湿手段３４とを備え、また、エアコンプレッサ２３からの排気を床面方向に放出するための排気ダクト３５を備える。より詳しくは、図３に示すごとく、エアコンプレッサ２３にて高圧にされた空気は、エアコンプレッサ２３内に配置されたバッファタンク（図示しない）に一時的に貯蔵され、次いでエアフィルタ２４にて圧縮空気中の塵を除去し、次いでオイルミストを除去するオイルミストフィルタ２５を通過させる。その場合、エアフィルタ２４の出口とオイルミストフィルタ２５の出口との間の圧力差を計測する差圧計２７により、その圧力低下でオイルミストフィルタ２５の目詰まりを検知できるようにしてフィルタ交換時期を知る手段としている。
【００１８】
その下流側に接続したドライヤー２６に供給される圧縮空気の圧力を計測できるようにしている。経路の下流側に接続する中空糸分離膜からなる窒素ガス変換モジュール３１に水分を含む空気を供給すると、その中空糸分離膜モジュール（組織）の膜面で水分が凝縮して膜の透過性能が低下して窒素ガスの収量が悪化する。それゆえ前以ってドライヤー２６にて圧縮空気を乾燥させる必要がある。このドライヤー２６を冷却型にて構成した場合は、圧縮空気中から除去した水分をドレン２９に溜める。ドライヤー２６を中空糸分離膜モジュール（組織）に構成した場合、透過速度の速い水蒸気は中空糸分離膜を通過し、ドライヤー２６の一方の出口から外気に放出することにより、実質上外気に水蒸気を混入させることで、ドレン２９を必要としない。前記ドライヤー２６における膜を通過しなかった乾燥圧縮空気（窒素ガス及び酸素ガスを含む）はドライヤー２６の他方の出口からレギュレータ３０を介して窒素ガス変換モジュール３１に送られる。
【００１９】
窒素ガス変換モジュール３１では、窒素ガス（富化窒素ガス）と酸素ガス（富化酸素ガス）とに分離される。窒素ガス変換モジュール３１における富化酸素ガス排出管３６の出口は、前記エアコンプレッサ２３における排気ダクト３５内に連通されており、密閉状態の基台２内に酸素ガスを放出させないように構成している。もし、前記密閉状態の基台２内に配置したエアコンプレッサ２３の外気取り入れ口２３ａで酸素ガスの含有率の高い外気（空気）を取り入れるという循環を繰り返すと、エアコンプレッサ２３から供給される圧縮空気中の酸素ガスの含有量が次第に多くなり、窒素ガス変換モジュール３１での窒素ガスの収量が低下し、窒素ガスの発生効率が悪化するからである。窒素ガス変換モジュール３１の他方の出口に接続した窒素ガス吐出管３７の途中には、減圧弁３２及び圧力計３３を設けて、窒素ガス変換モジュール３１での窒素ガス発生量を調節すると共に下流側（ケース本体３側）への窒素ガスの圧力を減圧し、且つ供給量を調節する。窒素ガス変換モジュール３１にて分離生成された窒素ガス（実施例では窒素ガス純度９９．５％）は完全な乾燥状態であるので、加湿手段３４に送られて、ケース本体３その内部に置いた展示物Ｔが乾燥し過ぎないように適度の湿度が付与される。
【００２０】
加湿手段３４は、窒素ガスの流量を微調節できるオリフィス型の第１流量計３８を介して乾燥した窒素ガスをそのまま通過させる第１通路３９と、窒素ガスの流量を微調節できるオリフィス型の第２流量計４０と水（蒸留水）中を潜らせる湿潤器４１と流量調整弁４２とを介して通過させる第２通路４３とを下流側出合流させる。これにより、ケース本体３内に供給する窒素ガスの湿度を任意に且つ微調節することができる。前記第１通路３９と第２通路４３とを合流させた供給管４４の出口４５を、前記基台２の天板８の適宜個所に設け、ケース本体３内に所定の湿度を有する窒素ガスを供給するものである。
【００２１】
前記ケース本体３からの排気口４６に接続した排気管４７の途中には、逃がし弁（安全弁）４８を設けて、前記ケース本体３内の窒素ガスの圧力が大気圧より１０〜５０ｍｍ水柱程度高い値に保持できるように構成されている。前記供給管４４及び排気管４７は合成樹脂製またはゴム製等のホースのような可撓性を有し、且つ各管の長さも長くするようにして、後述するように載置台２１を基台２から外に引き出したときにも、弛み等の余裕があるように構成されている。
【００２２】
次に、前記密閉状態の基台２内部の換気構成について、図５及び図６を参照しながら説明すると、前記エアコンプレッサ２３を載置する載置台２１には、床面側からの空気を取り入れるための換気フアン５３が設けられている。前記エアコンプレッサ２３における外ケース２３ｂの上面には、空気を圧縮したときに発生する圧縮熱を排出するための排気口２３ｃが開口されており、この排気口を上から被せるように、排気ダクト３５における中空箱状の上ケース３５ａを外ケース２３ｂの上面に固着し、該上ケース３５ａの他端の下向き通路中に排気用フアン５４を連結し、これに下向きダクト３５ｂを連設する。該下向きダクト３５ｂの下端は載置台２１より下方であって床面５５との間に適宜の隙間を有する。また、下向きダクト３５ｂの下部側には偏向板５６を設けて、排気が床面５５に対して斜めに吹き出し、速やかに基台２の外に排出できるように構成されている（図６参照）。さらに、前記窒素ガス変換モジュール３１からの富化酸素ガス排出管３６の出口を前記下向きダクト３５ｂ内に連通させることにより、前記酸素ガス（富化酸素ガス）をエアコンプレッサ２３の排気（排熱）と共に速やかに基台２の外に排出させる。これにより、密閉状の基台２内に酸素ガスの含有率が高い空気が溜まらないから、前記窒素ガス変換モジュール３１による窒素ガスの収量（収率）を低下させることがないという効果を奏する。
【００２３】
エアコンプレッサ２３の運転により発生した排気・排熱は、前記排気ダクト３５を介して強制的に、且つ速やかに基台２外に排出されるから、密閉状態の基台２内に熱が籠もらず、また熱が基台２とケース本体３との仕切り板としての天板８に伝達してケース本体３内の窒素ガス（雰囲気ガス）や展示物Ｔの温度を過大に上昇させることを防止でき、展示物Ｔにダメージを与えないという効果を奏する。
【００２４】
なお、図１、図２（ａ）、図４、図５及び図６に示すように、載置台２の一側に偏らせて配置したエアコンプレッサ２３における略箱状の外ケース２３ｂの一側面（実施例では、窒素ガス変換モジュール３１の配置側）には前述したように外気取り入れ口２３ａを有する着脱自在なカバー体５２が設けられている。載置台２に対して固定台を介して固定された窒素ガス変換モジュール３１の上方には、電源スイッチ等を備えた制御ボックス５７が支柱５８を介して固定されており、これら制御ボックス５７や窒素ガス変換モジュール３１と、前記エアコンプレッサ２３のカバー体５２を有する一側面との間に、当該カバー体５２を着脱できる程度の寸法略５ｃｍ〜１０ｃｍの間隔のメインテナンス空間５９（図２（ａ）参照）が形成されている。このメインテナンス空間５９の存在により、前記カバー体５２における外気取り入れ口２３ａをに張設しているエアフィルタ（図示せず）等の定期的交換や、エアコンプレッサ２３の内部のメインテナンス作業を容易にすることができる。
【００２５】
そして、窒素ガス供給装置２０の定期点検や前記加湿手段３４における浸潤器４１内の水供給（補給）等のメインテナンス作業に際しては、開閉扉７を開いて、載置台２１ごと窒素ガス供給装置２０を基台２から外に搬出させ、この開放状態では窒素ガス供給装置２０の大部分が露出し作業者の手が届き易くなり、メインテナンス作業が至極容易にできる。そして、窒素ガス供給装置２０からの窒素ガス供給のための供給管４４や、排気管４７を可撓性の有る管にて長く形成しておけば、前記メインテナンス作業の度にこれらの管を着脱する手間も省ける。
【００２６】
次に、前記窒素ガス供給装置の運転制御を実行するための構成について説明すると、制御装置（コントローラ）６０は、図１、図２（ａ）及び図４に示される制御ボックス５７内に収納されており、制御ボックス５７の表面側には２４時間タイマー、週間タイマー等のタイマー６１及び電源スイッチ６２が配置されている。２４時間タイマーの場合、１分乃至１５分毎の間隔で時間設定でき、博物館等の展示場の開場、閉場の時間帯に合わせて例えば、午前９時から午後５時までの日中をＯＦＦ（運転停止）とし、午後５時から翌朝午前９時までの夜間をＯＮ（運転）とするように設定できる。週間タイマーの場合は、１日の時間帯によるＯＮ・ＯＦＦの設定に加えて、休館日に合わせて、その日は２４時間の連続運転を可能とするようにな設定も可能である。制御装置６０は、マイクロコンピュータ等の電子式制御手段を備え、制御プログラムによる制御が必要な場合には、ＲＯＭ（読み出し専用メモリ）に所定の制御プログラムを予め記憶させ、また、適宜の設定値等は、不揮発性ＲＡＭ（随時読み書き可能メモリ）に記憶させておく。
【００２７】
図３のブロック図に示すように、ケース本体３内の窒素ガスの濃度を所定値に保持するため、当該ケース本体３内に窒素ガス濃度監視手段としての酸素ガスセンサ６３を配置する。この酸素ガスセンサ６３は前記排気管４７の途中に設けても良い。窒素ガスは不活性ガスであるため、化学的に反応しない。従って、ケース本体３内の雰囲気ガス中の化学反応性を有する酸素ガスの濃度を酸素ガスセンサ６３により検知し、酸素ガス濃度が低ければ、窒素ガス濃度が高いものと推定する。
【００２８】
前記タイマー６１及び酸素ガスセンサ６３を制御装置６０の入力部に接続する一方、排気管４７の先端側に接続された開閉制御弁４９、エアコンプレッサ２３並びに窒素ガス変換モジュール３１の出口側の電磁式止め弁３２ａを制御装置６０の出力部に接続する。
【００２９】
上記の構成により、ケース本体３を一旦上昇させて内部の展示物Ｔを交換した後、ケース本体３を下降させて天板８との間で密閉状態にしてから、基台２内に配置した窒素ガス供給装置２０の運転を開始する。
【００３０】
図９は窒素ガス濃度を一定に保持して運転する場合のフローチャートを示す。電源スイッチ６２をＯＮにして制御装置６０のスタートに続いて、ステップＳ１ではエアコンプレッサ２３を駆動させ、次いで、電磁式止め弁３２ａをＯＮ（開き作動）させて窒素ガスの供給を開始する（Ｓ２）。
【００３１】
次いで、酸素ガスセンサ６３の検出信号を検知し、酸素ガス濃度が所定値Ｄ（実施例では、Ｄ＝０．５％）より大きいか否かを判別し（Ｓ３）、酸素ガス濃度が所定値Ｄ以下であれば（Ｓ３：ｙｅｓ　）、窒素ガス濃度が高い（実施例では９９．５％以上ある）と判断して、電磁式止め弁３２ａをＯＦＦ（閉止）し、ケース本体３への窒素ガスの供給を停止すると共にエアコンプレッサ２３の運転も停止する（Ｓ４）。酸素ガス濃度が所定値Ｄより大きい間は（Ｓ３：ｎｏ）、ケース本体３内の窒素ガス濃度が低いと判断して、窒素ガス供給装置２０の運転及び窒素ガスの供給を継続する。
【００３２】
本実施例では、ケース本体３の容積が０．８３立法メートルとし、窒素ガス変換モジュール３１にて分離生成される窒素ガス量を３．３リットル／分とすると、最初の運転時には空気と置換してケース本体３内を９９．５％窒素ガス純度（濃度）にするには略２０時間連続運転することを要する。
【００３３】
なお、ケース本体３内に窒素ガスを供給してケース本体３内の空気と置換する作業を迅速にするため、前記排気管４７に吸引ポンプを接続して運転することでケース本体３内の空気を迅速に除去し、富化窒素ガス雰囲気に置換に要する時間を短縮することができる。
【００３４】
上述のように制御すれば、ケース本体３内の窒素ガス濃度を終日監視でき、ケース本体３と基台２との間の密封が不完全である場合でもケース本体３内の窒素ガスの濃度の低下に応じて窒素ガス供給装置を断続運転して、窒素ガスを補充でき、ケース本体３内の展示物品Ｔにダメージを与えないこと保証できる。
【００３５】
本発明におけるような、開閉扉を有しないケース本体３が基台２の天板８に対して昇降し、ケース本体３の下端縁（枠体９）と前記天板８との間で密封するような構成であれば、気密性が高くなり、ケース本体３内の窒素ガスの漏出量が微小であるので、展示時間帯に窒素ガスの補充供給する必要がほとんど発生しないという効果を奏する。
【００３６】
図１０に示すフローチャートは、時間帯に応じた窒素ガス供給装置の運転制御を示し、スタートに続き、タイマーの指示信号を読取る（Ｓ１０）。例えば、展示場の開場時間帯が午前９時から午後５時までとするとき、この時間帯を設定時間帯とする。２４時間タイマー６１にて予め前記設定時間帯を設定しておく。２４時間タイマー６１は１分乃至１５分間隔で設定可能なものである。また、複数の設定時間帯を設定することができる。
【００３７】
設定時間帯内であるか否かを判別し（Ｓ１１）、設定時間帯外であれば（Ｓ１：ｎｏ）、エアコンプレッサ２３を連続運転し、窒素ガスの供給を実行する（Ｓ１２）。前記設定時間帯外、つまり展示場の閉館時間帯であれば観覧者がいないから、エアコンプレッサ２３の運転による騒音を発しても邪魔にならない。また夜間等に作業者が付き添いしなくても、ケース本体３内の窒素ガス濃度が所定の値になれば自動的に運転を停止できるし、次の設定時間帯に入ると、自動的に運転を停止させることができ、無人の自動運転（自動制御）を実現できる。
【００３８】
他方、設定時間帯内であれば（Ｓ１：ｙｅｓ　）、酸素ガス濃度が所定値を越えるときのみエアコンプレッサ２３を運転し、窒素ガスの供給を行うという前記図９のフローチャートの制御を実行する（Ｓ１３）。または、観覧者が少ないであろう昼食時に、１０分〜３０分程度の短時間だけエアコンプレッサ２３を連続運転し、窒素ガスの供給（補充）を実行するように設定しても良い。その他、ケース本体３の密封性能が良好で、窒素ガスの漏出がほとんどないものでは、前記設定時間帯内での窒素ガスの補充を実行しなくても良い。また、週間タイマーを使用して休日及び夜間のみ窒素ガス供給装置を運転できるように制御することも可能である。
【００３９】
本発明の実施形態では、前記タイマー６１のみによる自動制御と、窒素ガス濃度監視手段及びタイマーの両方による自動制御と、窒素ガス濃度監視手段のみによる自動制御との３態様があり得る。
【００４０】
尚、本発明においては、窒素ガス供給装置として、窒素ガスボンベを利用するものや、外気を取り込んで吸着活性炭により酸素ガスを吸着・除去し、そのあまりの窒素ガスをケース本体に供給するという酸素ガス吸着式の窒素ガス供給装置やその他の形式のものを利用しても良い。
【００４１】
【発明の効果】
以上に詳述したように、請求項１に記載の発明の展示装置は、基台の上面側に展示装置におけるケース本体を配置し、前記基台内に窒素ガスを前記ケース本体内に供給する窒素ガス供給装置を配置してなる展示装置において、前記ケース本体は底部が開放されておりその他の部分は密封された構成であり、前記基台にはその上面板に対して前記ケース本体を昇降させる昇降装置を備え、前記ケース本体の底部と前記上面板との間に密閉装置を備えたことを特徴とするものである。この構成によれば、ケース本体に開閉扉を有せず、昇降するケース本体はその底面のみ開放されたものであり、ケース本体の底面の周囲と基台における上面板との間の密閉装置で確実に且つ容易にケース本体を気密にできるから、窒素ガス供給装置にて供給された窒素ガスの漏出が極めて少なく、窒素ガスの補充を少なくでき、ランニングコストを低減できる効果を奏する。また、基台上面に対してケース本体を昇降させる構成であるから、基台上の周囲から展示物を容易に出し入れすることができるという効果も奏する。
【００４２】
そして、請求項２に記載の発明は、請求項１に記載の展示装置において、前記ケース本体内の窒素ガス濃度監視手段と、該窒素ガス濃度監視手段の検出信号に基づいて前記窒素ガス供給装置を運転制御する制御装置とを備えたものであるから、請求項１に記載の発明による効果に加えて、ケース本体内の窒素ガス濃度の低下を常時無人で監視でき、ケース本体内の窒素ガス濃度が低下すれば、それに応じて補充する自動制御を実行するから、展示物を長期間展示してもケース本体内の展示物が酸化したり、虫、微生物、黴等の発生による展示物へのダメージを確実に防止できるという効果を奏する。
【００４３】
また、請求項３に記載の発明は、請求項１または２に記載の展示装置において、タイマーを備え、該タイマーによる指示信号に基づいて前記窒素ガス供給装置を運転制御する制御装置を備えたものである。
【００４４】
このように構成すれば、窒素ガスをケース本体内に補充するため、観覧者のいない、夜間や休日のみ窒素ガス供給装置を運転させることができ、閉館時間帯であれば観覧者がいないから、窒素ガス供給装置の運転による騒音を発しても邪魔にならないという効果を奏する。
【図面の簡単な説明】
【図１】窒素ガス供給装置付き展示装置の概略斜視図である。
【図２】（ａ）は開閉扉を開いた状態の窒素ガス供給装置付き展示装置の正面図、（ｂ）はケース本体を上昇させた状態の一部切欠き側断面図である。
【図３】窒素ガス供給装置のブロック図である。
【図４】載置台を引き出した状態の窒素ガス供給装置の斜視図である。
【図５】窒素ガス供給装置における排気ダクト等を示す斜視図である。
【図６】排気ダクト等の配置を示す一部切欠き背面図である。
【図７】基台の上部とケース本体との仕切り部の拡大断面図である。
【図８】ケース本体の昇降装置の図７における　ＶＩＩＩ　−ＶＩＩＩ線断面図である。
【図９】窒素ガス濃度監視手段による運転制御のフローチャートである。
【図１０】タイマーによる運転制御のフローチャートである。
【符号の説明】
１　　　展示装置
２　　　基台
３　　　ケース本体
８　　　天板
９　　　枠体
１３　　　昇降アクチュエータとしての油圧シリンダ
２０　　　窒素ガス供給装置
２１　　　載置台
２２　　　サスペンションレール
２３　　　エアコンプレッサ
２３ａ　　外気取り入れ口
２４　　　エアフィルタ
２５　　　ミストフィルタ
２６　　　ドライヤー
３１　　　窒素ガス変換モジュール
３２　　　減圧弁
３４　　　加湿手段
３５　　　排気ダクト
４２　　　流量調整弁
５２　　　カバー体
５３　　　換気フアン
５４　　　排気フアン
【図１】
2004081307.tif 000003
【図２】
2004081307.tif 000004
【図３】
2004081307.tif 000005
【図４】
2004081307.tif 000006
【図５】
2004081307.tif 000007
【図６】
2004081307.tif 000008
【図７】
2004081307.tif 000009
【図８】
2004081307.tif 000010
【図９】
2004081307.tif 000011
【図１０】
2004081307.tif 000012